(57)【要約】【課題】筒状編地において、前後の編地部の任意の位置で、任意の方向に向けて襞を形成できる筒状編地における襞の編成方法を提供する【解決手段】筒状編地1を編成する過程で、以下の工程α〜工程ζを行う。一側編地部10Fにおいて、第一境界部31及び第二境界部32を予め設定し、表面部21、折り返し部22、及び裏面部23を含む編目列を編成する(工程α)。第一境界部31よりも折り返し部22側にある編目を他側針床(BU)に目移しする(工程β)。他側針床(BD,BU)のラッキングに伴い、他側編地部10Bのラッキング方向先端部の編目を一側針床(BD)に回し込むと共に、表面部21と折り返し部22とを重ねる(工程γ)。表面部21と折り返し部22に裏面部23を重ねて接合箇所を形成する(工程δ)。回し込みを逆方向に戻す回し戻しを行う(工程ε)。接合箇所の編目に対して新たな編目を編成する(工程ζ)。【選択図】図２
2014189925.tif 000002
【特許請求の範囲】
【請求項１】
少なくとも前後一対の針床を備え、前後いずれか一方または双方の針床が左右にラッキング可能で、かつ前後の針床間で編目の目移しが可能な横編機を用いて、
一側針床に係止される一側編地部と、他側針床に係止される他側編地部とからなる筒状編地を編成する過程で、
前記一側編地部の編幅方向の一部に三層構造の襞を形成する筒状編地における襞の編成方法において、
前記三層構造の襞を筒状編地の筒の外側から見たとき、外層、中層、及び内層となる領域を、表面部、折り返し部、及び裏面部とするとき、
前記一側編地部において、前記表面部と前記折り返し部との境界である第一境界部、及び前記折り返し部と前記裏面部との境界である第二境界部を予め設定し、前記表面部、前記折り返し部、及び前記裏面部を含む編目列を編成する工程αと、
前記第一境界部よりも前記折り返し部側にある編目を前記他側針床に目移しする工程βと、
前記他側針床のラッキングに伴い、次の工程γ1及び工程γ2を行い、前記表面部に前記折り返し部を重ねる工程γと、
工程γ1：前記他側編地部において、ラッキング方向先端部の編目を前記一側針床に回し込む
工程γ2：前記折り返し部の編目を前記第一境界部側から順に目移しして、前記表面部の少なくとも一部の編目に対して前記第一境界部側から順に重ね目を形成する
前記折り返し部が重なった状態の前記表面部において、前記裏面部の編目を目移しして、前記表面部の少なくとも一部の編目に対して前記第二境界部側から順に重ね目を形成し、表面部に対して折り返し部及び裏面部を重ねて接合箇所を形成する工程δと、
前記工程γ1で行った回し込みを逆方向に戻す回し戻しを行いつつ、前記他側編地部の回し戻しを行う端部とは反対側の端部の編目を前記一側針床に回し込みを行う工程εと、
前記工程δにおいて形成された接合箇所の編目に対して新たな編目を編成する工程ζとを備えることを特徴とする筒状編地における襞の編成方法。
【請求項２】
前記三層構造の襞は、前記筒状編地を筒の外側から見たとき、
前記第一境界部が前記第二境界部の右側に位置するS型襞と、
前記第一境界部が前記第二境界部の左側に位置するZ型襞とを備え、
前記S型襞の第一境界部と前記Z型襞の第一境界部とが、隣り合うように編成することを特徴とする請求項1に記載の筒状編地における襞の編成方法。
【請求項３】
前記三層構造の襞は、前記筒状編地を筒の外側から見たとき、
前記第一境界部が前記第二境界部の右側に位置するS型襞と、
前記第一境界部が前記第二境界部の左側に位置するZ型襞とを備え、
前記S型襞と前記Z型襞の各接合箇所が、ウエール方向に並ぶように編成することを特徴とする請求項1に記載の筒状編地における襞の編成方法。
【請求項４】
工程αの後に、前記折り返し部及び前記裏面部の各々において、編幅方向に隣り合う2つの編目のうち、一方の編目を他方の編目に重ね合わせることで、一本置きの編針に重ね目を形成し、この一本置きの編針に形成された重ね目に対して新たな編目を編成する工程ηを備え、
前記工程γ及び前記工程δにおいて、前記表面部に対して、前記工程ηで編成した前記折り返し部及び前記裏面部の各々の新たな編目を異なる編針に目移しすることを特徴とする請求項1〜3のいずれか1項に記載の筒状編地における襞の編成方法。
【発明の詳細な説明】
【技術分野】
【０００１】
本発明は、筒状編地において、前後の編地部の任意の位置で、任意の方向に向けて襞を形成できる筒状編地における襞の編成方法に関する。
【背景技術】
【０００２】
スカートやワンピース等のニット製品において、例えばウエスト部分や裾部分に襞を編成することが行われている。例えば、特許文献1には、横編機を用いて、表面編地部分と折り返し編地部分と重ね編地部分とで三重部分を形成し、その上端部を編成して、表面編地の編成時に襞を形成する編成方法が開示されている。三重部分は、表面編地部分と折り返し編地部分と重ね編地部分とを一連に編成し、表面編地部分と重ね編地部分とが重なる方向に針床をラッキングさせ、両編地部分を目移しによって重ね合わせて形成される。このとき、折り返し編地部分を解れ止め処理して編針から外し、折り返し編地部分が外された空針に表面編地部分と重ね編地部分の各端部同士が接するように表面編地部分を移動させることで、三重部分が膨らまないようにしている。
【先行技術文献】
【特許文献】
【０００３】
【特許文献１】特公平7-111021号公報
【発明の概要】
【発明が解決しようとする課題】
【０００４】
特許文献1の技術は、編成する編地が単層編地の場合に、針床のラッキング量が横編機の許容範囲内であれば、襞の重ね合わせ方向や重ね合わせ幅を自由に選択できる。
【０００５】
しかし、編成する編地が筒状編地の場合、前後の針床の各々に係止される各編地部において、両端部の編目同士が繋がっているため、針床のラッキング量によっては、前後の編地部を両端で繋ぐ渡り糸が破断する虞がある。そのため、筒状編地において、ラッキングを行っても渡り糸で破断し難い襞の編成方法の開発が望まれている。
【０００６】
本発明は上記事情に鑑みてなされたもので、その目的の一つは、筒状編地において、前後の編地部の任意の位置で、任意の方向に向けて襞を形成できる筒状編地における襞の編成方法を提供することにある。
【課題を解決するための手段】
【０００７】
本発明の筒状編地における襞の編成方法は、少なくとも前後一対の針床を備え、前後いずれか一方または双方の針床が左右にラッキング可能で、かつ前後の針床間で編目の目移しが可能な横編機を用いて、一側針床に係止される一側編地部と、他側針床に係止される他側編地部とからなる筒状編地を編成する過程で、一側編地部の編幅方向の一部に三層構造の襞を形成する。三層構造の襞を筒状編地の筒の外側から見たとき、外層、中層、及び内層となる領域を、表面部、折り返し部、及び裏面部とするとき、以下の工程α〜工程ζを備える。
［工程α］…一側編地部において、表面部と折り返し部との境界である第一境界部、及び折り返し部と裏面部との境界である第二境界部を予め設定し、表面部、折り返し部、及び裏面部を含む編目列を編成する。
［工程β］…第一境界部よりも折り返し部側にある編目を他側針床に目移しする。
［工程γ］…他側針床のラッキングに伴い、次の工程γ1及び工程γ2を行い、表面部と折り返し部とを重ねる。
（工程γ1）…他側編地部において、ラッキング方向先端部の編目を一側針床に回し込む。
（工程γ2）…折り返し部の編目を第一境界部側から順に目移しして、表面部の少なくとも一部の編目に対して第一境界部側から順に重ね目を形成する。
［工程δ］…折り返し部が重なった状態の表面部において、裏面部の編目を目移しして、表面部の少なくとも一部の編目に対して第二境界部32側から順に重ね目を形成し、表面部21に対して折り返し部及び裏面部を重ねた接合箇所を形成する
［工程ε］…工程γ1で行った回し込みを逆方向に戻す回し戻しを行いつつ、他側編地部の回し戻しを行う端部とは反対側の端部の編目を一側針床に回し込みを行う。
［工程ζ］…工程δにおいて形成された接合箇所の編目に対して新たな編目を編成する。
【０００８】
上記三層構造の襞は、筒状編地を筒の外側から見たとき、第一境界部が第二境界部の右側に位置するS型襞と、第一境界部が第二境界部の左側に位置するZ型襞とを備える形態が挙げられる。S型襞とZ型襞とを備える場合、本発明の筒状編地における襞の編成方法の一形態として、S型襞の第一境界部とZ型襞の第一境界部とが、隣り合うように編成する形態が挙げられる。
【０００９】
本発明の筒状編地における襞の編成方法の一形態として、S型襞とZ型襞とを備える場合、S型襞とZ型襞の各接合箇所が、ウエール方向に並ぶように編成する形態が挙げられる。
【００１０】
本発明の筒状編地における襞の編成方法の一形態として、工程αの後に、折り返し部及び裏面部の各々において、編幅方向に隣り合う2つの編目のうち、一方の編目を他方の編目に重ね合わせることで、一本置きの編針に重ね目を形成し、この一本置きの編針に形成された重ね目に対して新たな編目を編成する工程ηを備え、工程γ及び工程δにおいて、表面部に対して、工程ηで編成した折り返し部及び裏面部の各々の新たな編目を異なる編針に目移しする形態が挙げられる。
【発明の効果】
【００１１】
本発明の筒状編地における襞の編成方法によれば、表面部に対して折り返し部を重ねる際に、他側針床のラッキングに伴い、他側針床のラッキング方向先端部の編目を一側針床に回し込むことで、一側編地部と他側編地部の両端を繋ぐ渡り糸が破断することを抑制できる。表面部に対する折り返し部の編目の目移しと、他側針床のラッキング方向先端部の編目の回し込みとは、一回のラッキングを利用して並行して行うことができるため、表面部と折り返し部の重ねと上記回し込みとを効率よく行うことができる。
【００１２】
また、表面部に対して折り返し部を重ねる際、他側針床のラッキングに伴って回し込みを行うため、表面部に対して左右どちらからでも折り返し部を折り畳んで重ねても上記渡り糸が破断することを抑制できる。よって、筒状編地において、一側編地部と他側編地部の任意の位置で、任意の方向に向けて襞を形成できる。
【００１３】
特に、本発明の筒状編地における襞の編成方法によれば、三層構造の襞がS型襞とZ型襞とを備える場合、筒状編地を筒の外側から見たとき、S型襞がZ型襞の右側に隣り合うように並んだ状態で繋がるボックスプリーツだけでなく、S型襞がZ型襞の左側に隣り合うように並んだインバーテッドプリーツや、左側に間隔を空けて並んだプリーツも容易に編成できる。つまり、各襞において表面部に対して折り返し部を折り畳んで重ねる向きが、両襞の内側から一側編地部の両端部に向かう方向であっても、容易に襞を形成することができる。
【００１４】
S型襞とZ型襞の各第一境界部が近接して隣り合うように編成した場合、S型襞とZ型襞とに互いに離れる方向(左右方向)に張力が掛かると、両襞の各第一境界部近傍の編目が左右に引き伸ばされて、この編目が目立つことがある。S型襞とZ型襞の各接合箇所がウエール方向に並ぶように編成することで、筒状編地を筒の外側から見たとき、一方の襞の接合箇所が他方の襞で覆われたインバーテッドプリーツ状の襞を形成でき、S型襞とZ型襞とに互いに離れる方向に張力が掛かっても、両襞の各第一境界部近傍の編目が引き伸ばされて目立つことを防止できる。また、両襞の接合箇所がウエール方向に並列する領域を有するため、この領域で筒状編地の厚み方向にボリューム感を持たせることができる。
【００１５】
折り返し部及び裏面部の各々において、一本置きの編針に重ね目を形成し、この重ね目に対して新たな編目を編成することで、二重編目を一重編目とすることができる。そして、表面部に対して折り返し部及び裏面部の各々の新たな編目を異なる編針に目移しすることで、接合箇所が二重の重ね目で構成されるため、三重の重ね目で構成した場合と比較して膨らみが小さい襞とできる。
【図面の簡単な説明】
【００１６】
【図１】実施形態1に係る襞の編成方法を用いたスカートの概略図である。
【図２】実施形態1に係る襞の編成手順の前半部分を示す編成工程図である。
【図３】実施形態1に係る襞の編成手順の後半部分を示す編成工程図である。
【図４】実施形態2に係る襞の編成方法を用いた編成途中のスカートの状態を示す模式図である。
【発明を実施するための形態】
【００１７】
以下、本発明の筒状編地における襞の編成方法の実施形態を図面に基づいて説明する。実施形態では、左右方向に延び、かつ前後方向に互いに対向する下部前針床(以下、FD)と下部後針床(以下、BD)、及びこれらFDとBDの上方に設けられ、下部の針床と同ピッチで多数の編針が列設された上部前針床(以下、FU)と上部後針床(以下、BU)を備える4枚ベッド横編機を用いたスカートの編成例を説明する。この横編機は、前後の針床間で編目の目移しが可能であり、しかも横編機に備わるBD,BUは左右にラッキング可能である。なお、現行市販されている横編機では、FDとBDとの間、FDとBUとの間、及びBDとFUとの間で目移し可能であるが、FUとBUとの間では目移しできない構造になっている。使用する横編機は、4枚ベッド横編機に限定されるわけではなく、2枚ベッド横編機であっても良い。
【００１８】
＜実施形態1＞
図1は、実施形態1に係る襞の編成方法を用いて編成されたスカート1の概略図である。スカート1は、一側編地部10Fと他側編地部10Bとが無縫製で編成された筒状編地である。一側編地部10Fには三層構造の襞20が形成されている。襞20には、S型襞20sとZ型襞20zとがあり、スカート1を外側から見たとき、S型襞20sがZ型襞20zの左側に並んでいる。S型襞20sとZ型襞20zについては後述する。
【００１９】
スカート1は、図2,図3の編成工程図に示す手順で編成することができる。なお、図2,図3の編成工程図は、あくまで編成の概略的な手順を示すものである。図2,図3における左欄には編成工程の番号が、中欄には各編成工程の状態を示す。また、右欄に示される符号『数字＋P』が付された左右方向の矢印はBD,BUのラッキング方向を示す。Pの前の数字はラッキング量(以下、ピッチ)を編針の本数で表したものである。符号『K』が付された矢印は編成方向を示す。図2,図3では、一側編地部10Fの編幅方向の一部にS型襞20sを形成し、その後、スカート1の外側から見てS型襞20sの右側にZ型襞20zを形成する例を説明する。ここでは、襞20を筒状編地(スカート)1の筒の外側から見たとき、外層、中層、及び内層となる領域を、表面部21、折り返し部22、及び裏面部23とする。
【００２０】
襞20は、表面部21と折り返し部22との境界である第一境界部31、及び折り返し部22と裏面部23との境界である第二境界部32で、それぞれ折り畳まれることで、各部21,22,23が重ね合わされて三層構造に形成される。この三層構造の襞20を、筒状編地1の筒の外側から見たとき、図3のS10に示すように、第一境界部31が第二境界部32の右側に位置する形態をS型襞20sと呼び、第一境界部31が第二境界部32の左側に位置する形態をZ型襞20zと呼ぶ。
【００２１】
［編目列の編成工程α：S0］
S0では、第一境界部31及び第二境界部32を予め設定し、表面部21、折り返し部22、及び裏面部23を含む編目列を編成し、一側針床(FD)に係止される一側編地部10Fと、他側針床(BD)に係止される他側編地部10Bとからなる筒状編地1を編成する。ここでは、S型襞20sを形成するため、左側から順に表面部21、折り返し部22、及び裏面部23が編幅方向に並び、かつ各部の編目数が同数となるように、第一境界部31及び第二境界部32を設定している。
【００２２】
［目移し工程β：S1］
S1では、第一境界部31よりも折り返し部22側にある編目を全て他側針床(BU)に目移しする。
【００２３】
［表面部に折り返し部を重ねる工程γ：S2〜S4］
S2〜S4では、BD,BUをラッキングしながら、表面部21と折り返し部22とを重ねていく。S2では、BD,BUを左方向に1ピッチラッキングした後、他側編地部10Bのラッキング方向先端部(紙面左側)の編目をFDに回し込む(工程γ1)。この回し込みと共に、折り返し部22の第一境界部31側の編目をFDに目移しして、表面部21の第一境界部31側の編目に重ね目を形成する(工程γ2)。S3では、S2の状態からさらにBD,BUを左方向に2ピッチラッキングした後、S2と同様に、工程γ1及び工程γ2を行い、他側編地部10Bのラッキング方向先端部の編目の回し込み及び折り返し部22の編目の目移しを行う。S4では、S3と同様に、BD,BUを左方向に2ピッチラッキングした後、工程γ1及び工程γ2を行う。このBD,BUのラッキングに伴う工程γ1及び工程γ2は、表面部21と折り返し部22とで重ね目を形成して、表面部21と折り返し部22の全ての編目列が重ね合わさるまで繰り返す。この重ね目の形成により、S1では図2の左側から右側に向かって並ぶ折り返し部22の編目列は、S4を終えた時点で、編幅方向の並び順が逆転されて右側から左側に向かって並列され、表面部21と重ね目を形成して重ね合わさった状態となる。
【００２４】
［折り返し部を重ねた表面部に裏面部を重ねる工程δ：S5］
S5では、BD,BUを左方向に1ピッチラッキングした後、S1でBUに目移しした編目(折り返し部22の編目を除く)をFDに戻す。そうすることで、上述したS2〜S4で形成した表面部21と折り返し部22とによる重ね目に対して、裏面部23の編目が重なり三重の重ね目が形成される。この三重の重ね目部分が、表面部21、折り返し部22、及び裏面部23を重ねた接合箇所24sとなる。
【００２５】
［回し戻し工程ε：S6］
S6では、BD,BUを右方向にラッキングながら、S2〜S4で行った回し込みを逆方向に戻す回し戻しを行う。この回し戻しと共に、他側編地部10Bの回し戻しを行う端部とは反対側(紙面右側)の端部をFDに回し込む。他側編地部10Bの左側の回し戻しと他側編地部10Bの右側の回し込みを行う各編目数は同じである。ここでは、1ピッチ、2ピッチ、2ピッチ、1ピッチと順にラッキングする毎に上記他側編地部10Bの左側の回し戻し及び右側の回し込みを行う。
【００２６】
［新たな編目の編成工程ζ：S7］
上述したS5において形成された三重の重ね目に対して新たな編目を編成することで、接合箇所24sの重ね目が固定され、襞20(ここでは、S型襞20s)が形成される。
【００２７】
S7(以下の編成工程は図3を参照)による新たな編目の編成は、Z型襞20zを形成するための表面部21、折り返し部22、及び裏面部23を含む編目列の編成でもある。ここでは、Z型襞20zを形成するため、右側から順に表面部21、折り返し部22、及び裏面部23が編幅方向に並び、かつ各部の編目数が同数となるように、第一境界部31及び第二境界部32を設定している。
【００２８】
S8では、S1と同様に、第一境界部31よりも折り返し部32側にある編目を全て他側針床(BU)に目移しする。この目移しの際、S型襞20sも目移しされるが、接合箇所24sの三重の重ね目部分はS7で編成された新たな編目によって固定されているため、襞20の目移しは可能である。
【００２９】
S9では、上述したS2〜S4と対称となるように、BD,BUを右方向に1ピッチ、2ピッチ、2ピッチと順にラッキングしながら、他側編地部10Bのラッキング方向先端部(紙面右側)の編目をFDに回し込み、かつ折り返し部22の編目をFDに目移しして、表面部21の編目に重ね目を形成する。表面部21と折り返し部22とで重ね目を形成して重ね合わさった状態となったら、S5と同様に、BD,BUを右方向に1ピッチラッキングした後、BUに目移しした編目(折り返し部22の編目を除く)をFDに戻す。そうすることで、表面部21と折り返し部22とによる重ね目に対して、裏面部23の編目が重なり三重の編目が形成される。この三重の重ね目部分が、表面部21、折り返し部22、及び裏面部23を重ねた接合箇所24zとなる。
【００３０】
S10では、S6と同様に、BD,BUを左方向に1ピッチ、2ピッチ、2ピッチ、1ピッチと順にラッキングしながらS9で行った回し込みを逆方向に戻す回し戻しと、この回し戻しを行う端部とは反対側(紙面左側)の端部をFDに回し込みとを行う。そして、S9において形成された三重の重ね目に対して新たな編目を編成することで、接合箇所24zの重ね目が固定され、襞20(ここでは、Z型襞20z)が形成される。
【００３１】
図2,図3の編成工程図に基づいて形成された襞20を有するスカート1は、接合箇所24s,24zで表面部21、折り返し部22、及び裏面部23が折り畳まれて重ねられることで、接合箇所24s,24zからスカート1の下方に向かって三層の編地が重なった状態となる。ここでは、一側編地部10Fのみに襞20を形成したが、他側編地部10Bに対しても、上述した襞の編成手順によって襞を形成できる。
【００３２】
＜実施形態2＞
図4は、実施形態2に係る襞の編成方法を用いた編成途中のスカート2の状態を示す模式図である。スカート2は、図4(C)に示すように、S型襞20sとZ型襞20zの各接合箇所24s,24zが、ウエール方向に並んで形成された一対の襞を、スカート2の左右に備える。以下、この一対の襞をスカート2の左右に形成する編成順序を説明する。個々の襞20の編成方法については、実施形態1と同様である。
【００３３】
まず、図4(A)に示すように、スカート2を外側から見たとき、左側の一対の襞のうちZ型襞20zと、右側の一対の襞のうちS型襞20sを形成して、ボックスプリーツ状の襞を構成する。この場合、実施形態1においてZ型襞20zとS型襞20sの位置が左右逆であるだけで、各襞20z,20sの編成方法は、実施形態１と同様である。
【００３４】
次に、図4(B)に示すように、スカート2を外側から見たとき、左側の一対の襞のうちS型襞20sをZ型襞20zのウエール方向上方に形成し、右側の一対の襞のうちZ型襞20zをS型襞20sのウエール方向上方に形成する。つまり、一対の襞のうち一方の襞の接合箇所が他方の襞で覆われることになる。ここでは、一対の襞のうち一方の襞の接合箇所と他方の襞の接合箇所とは同じ編目数であり、両接合箇所はコース方向にずれることなくウエール方向に重なるように並列されている。各一対の襞の先に形成した襞(左側：Z型襞20z、右側：S型襞20s)は、接合箇所の三重の重ね目部分が固定されるために1コース編成されている。よって、各一対の襞の後に形成した襞(左側：S型襞20s、右側：Z型襞20z)は、先に形成した襞に対して接合箇所がウエール方向に1コース分ずれて配置されている。
【００３５】
上述した編成順序によって編成したスカート2(図4(C))は、S型襞20sの接合箇所24sをZ型襞20zの接合箇所24zに対してウエール方向上方に並べて形成した場合、S型襞20sの表面部は、Z型襞20zの接合箇所24zの編目に対する新たな編目による編地と共通となって5層の襞となる。上述した編成順序は一例であって、一方の一対の襞を形成してから、他方の一対の襞を形成してもよく、一対の襞の個数も所望の個数とできる。また、一対の襞において、S型襞20sの接合箇所24sとZ型襞20zの接合箇所24zとはコース方向にずれているがウエール方向に部分的に重なるように並列してもよいし、各襞20s,20zの接合箇所24s,24zの各三重の重ね目部分が異なる編目数であってもよい。
【００３６】
他に、S型襞とZ型襞の各第一境界部を同じ針床で隣り合うように形成した一対の襞を、スカートの左右に備える形態とすることができる。この場合、例えば、一対のインバーテッドプリーツが左右に離れて配置されたスカートを容易に編成できる。個々の襞の編成方法については、実施形態1と同様である。S型襞とZ型襞の編成位置を変えることで、多様な見栄えの襞を形成することができる。
【００３７】
また、表面部21に対して折り返し部22を畳んで重ねる向きが異なる二種類の襞(S型襞20sとZ型襞20z)を備えるスカート1以外に、一種類の襞(S型襞20sもしくはZ型襞20z)を複数備え、全ての襞が同じ向きに折り畳まれているワンウェイプリーツも編成できる。
【００３８】
＜実施形態3＞
実施形態1,2では、表面部に対して折り返し部及び裏面部は、同じ編針で重ね目を形成しているため、工程δ終了後の接合箇所の編目は三重編目となっている。よって、工程ζでは、この三重編目に対して新たな編目を編成する。実施形態3では、工程ζにおいて三重編目ではなく二重編目に対して編成できる編成方法について説明する。
【００３９】
工程αの後に、折り返し部及び裏面部の各々において、編幅方向に隣り合う2つの編目のうち、一方の編目を他方の編目に重ね合わせ、一本置きの編針に重ね目を形成する。この一本置きの編針に形成された重ね目を含めて新たな編目を編成する(工程η)。重ね目に対して新たな編目を編成することで、二重編目が一重編目となるため、工程βの目移しも可能となる。折り返し部の編目が一本置きの編針に係止されているため、工程γにおいて、折り返し部の編目の目移しは、表面部の一目置きの編目に対して行う。また、裏面部の編目も一本置きの編針に係止されているため、工程δにおいて、裏面部の目移しは、先の折り返し部の編目の目移しの際に一目置きとして重ね目を形成していない編目に対して行う。折り返し部の編目と裏面部の編目とは重ね合わせていないため、表面部の編目に対する折り返し部及び裏面部の各編目の重ね目は二重編目となっており、接合箇所の固定は、この二重編目に対して新たな編目を編成することになる。
【００４０】
上述した各実施形態に係る編成方法で形成された襞は、スカート以外にも、ズボンのタックやパフスリーブにも活用することができる。
【符号の説明】
【００４１】
1,2  スカート(筒状編地)
10F  一側編地部  10B  他側編地部
20  襞  20s  S型襞  20z  Z型襞
21  表面部  22  折り返し部  23  裏面部  24s,24z  接合箇所
31  第一境界部  32  第二境界部
【図１】
2014189925.tif 000003
【図２】
2014189925.tif 000004
【図３】
2014189925.tif 000005
【図４】
2014189925.tif 000006